(57)【要約】【課題】コンテンツを映像単位グループで構成された動的な映像物で生成することができる動的映像物自動生成装置及び方法を提供する。【解決手段】コンテンツを含む所定のコンテンツグループに対応する映像単位グループのテンプレートを選択するテンプレート選択モジュール、前記選択されたテンプレートに前記コンテンツを配置するコンテンツ配置モジュール、及び前記コンテンツが配置された動的映像物を提供する動的映像物提供モジュールを含む。【選択図】      図１
2007129717.tif 000002
【特許請求の範囲】
【請求項１】
コンテンツを含む所定のコンテンツグループに対応する映像単位グループのテンプレートを選択するテンプレート選択モジュールと、
前記選択されたテンプレートに前記コンテンツを配置するコンテンツ配置モジュールと、
前記コンテンツが配置された動的映像物を提供する動的映像物提供モジュールと、を含むことを特徴とする動的映像物自動生成装置。
【請求項２】
前記テンプレート選択モジュールは、前記コンテンツの数、前記コンテンツの主題、前記コンテンツのカラー、前記コンテンツを獲得した時間、前記コンテンツを獲得した場所、テンプレートの使用回数、及びユーザの嗜好度を含む多数の選択条件のうち少なくとも１つの選択条件に応じて前記コンテンツグループに対応するテンプレートを選択することを特徴とする請求項１に記載の動的映像物自動生成装置。
【請求項３】
前記テンプレート選択モジュールは、前記各選択条件に対する計算値と前記各選択条件に与えられる加重値によるスコアが最も大きいテンプレートを選択することを特徴とする請求項２に記載の動的映像物自動生成装置。
【請求項４】
前記スコアＳはＳ＝Σ（Ｗ（ｉ）＊Ｓ（ｉ））により求められ、前記Ｓ（ｉ）は各選択条件に対する計算値、前記Ｗ（ｉ）は各選択条件に与えられた加重値であることを特徴とする請求項３に記載の動的映像物自動生成装置。
【請求項５】
前記テンプレート選択モジュールは、多数の候補が存在する前記テンプレートの構成要素のうち前記ユーザ嗜好度及び前記コンテンツとの適合度のうち少なくとも１つを参照して前記テンプレートの構成要素を選択することを特徴とする請求項２に記載の動的映像物自動生成装置。
【請求項６】
前記コンテンツによって前記選択されたテンプレートを変換するテンプレート変換モジュールと、
前記選択されたテンプレートによって前記コンテンツを変換するコンテンツ変換モジュールと、をさらに含むことを特徴とする請求項１に記載の動的映像物自動生成装置。
【請求項７】
前記テンプレート変換モジュールは、前記コンテンツグループに含まれたコンテンツの数が前記選択されたテンプレートに配置されるコンテンツの数より多い場合、前記選択されたテンプレートを変換することを特徴とする請求項６に記載の動的映像物自動生成装置。
【請求項８】
前記コンテンツ配置モジュールは、前記変換されたテンプレートに前記コンテンツを配置することを特徴とする請求項７に記載の動的映像物自動生成装置。
【請求項９】
前記コンテンツ変換モジュールは、前記選択されたテンプレートの雰囲気、カラー属性、及び時間的背景を含む文脈情報によって前記コンテンツのカラー属性、イメージ変換、及び上映領域／区間を含むコンテンツ属性を変換することを特徴とする請求項６に記載の動的映像物自動生成装置。
【請求項１０】
前記テンプレート及び前記動的映像物は、マークアップ言語の形態からなることを特徴とする請求項１に記載の動的映像物自動生成装置。
【請求項１１】
前記コンテンツが配置された動的映像物を格納する格納モジュールと、
前記コンテンツが配置された動的映像物を表示するディスプレイモジュールと、をさらに含むことを特徴とする請求項１に記載の動的映像物自動生成装置。
【請求項１２】
前記ディスプレイモジュールは、前記動的映像物を背景音楽に同期化させて表示することを特徴とする請求項１１に記載の動的映像物自動生成装置。
【請求項１３】
コンテンツを含む所定のコンテンツグループに対応する映像単位グループのテンプレートを選択する段階と、
前記選択されたテンプレートに前記コンテンツを配置する段階と、
前記コンテンツが配置された動的映像物を提供する段階と、を含むことを特徴とする動的映像物自動生成方法。
【請求項１４】
前記テンプレートを選択する段階は、前記コンテンツの数、前記コンテンツの主題、前記コンテンツのカラー、前記コンテンツを獲得した時間、前記コンテンツを獲得した場所、テンプレートの使用回数、及びユーザの嗜好度を含む多数の選択条件のうち少なくとも１つの選択条件に応じて前記コンテンツグループに対応する映像単位グループのテンプレートを選択する段階を含むことを特徴とする請求項１３に記載の動的映像物自動生成方法。
【請求項１５】
前記テンプレートを選択する段階は、前記各選択条件に対する計算値と前記各選択条件に与えられる加重値によるスコアが最も大きいテンプレートを選択する段階を含むことを特徴とする請求項１４に記載の動的映像物自動生成方法。
【請求項１６】
前記スコアＳはＳ＝Σ（Ｗ（ｉ）＊Ｓ（ｉ））により求められ、前記Ｓ（ｉ）は各選択条件に対する計算値、前記Ｗ（ｉ）は各選択条件に与えられた加重値であることを特徴とする請求項１５に記載の動的映像物自動生成方法。
【請求項１７】
前記テンプレートを選択する段階は、多数の候補が存在するテンプレートの構成要素のうち前記ユーザ嗜好度及び前記コンテンツとの適合度のうち少なくとも１つを参照して前記テンプレートの構成要素を選択する段階を含むことを特徴とする請求項１４に記載の動的映像物自動生成方法。
【請求項１８】
前記コンテンツによって前記選択されたテンプレートを変換する段階と、
前記選択されたテンプレートによって前記コンテンツを変換する段階と、をさらに含むことを特徴とする請求項１３に記載の動的映像物自動生成方法。
【請求項１９】
前記テンプレートを変換する段階は、前記コンテンツグループに含まれたコンテンツの数が前記選択されたテンプレートに配置されるコンテンツの数より多い場合、前記選択されたテンプレートを変換する段階を含むことを特徴とする請求項１８に記載の動的映像物自動生成方法。
【請求項２０】
前記コンテンツを配置する段階は、前記変換されたテンプレートに前記コンテンツを配置することを特徴とする請求項１９に記載の動的映像物自動生成方法。
【請求項２１】
前記コンテンツを変換する段階は、前記選択されたテンプレートの雰囲気、カラー属性、及び時間的背景を含む文脈情報によって前記コンテンツのカラー属性、イメージ変換、及び上映領域／区間を含むコンテンツの属性を変換する段階を含むことを特徴とする請求項１８に記載の動的映像物自動生成方法。
【請求項２２】
前記テンプレート及び前記動的映像物は、マークアップ言語の形態からなることを特徴とする請求項１３に記載の動的映像物自動生成方法。
【請求項２３】
前記コンテンツが配置された動的映像物を格納する段階と、
前記コンテンツが配置された動的映像物を表示する段階と、をさらに含むことを特徴とする請求項１３に記載の動的映像物自動生成方法。
【請求項２４】
前記動的映像物を表示する段階は、前記動的映像物を背景音楽に同期化させて表示する段階を含むことを特徴とする請求項２３に記載の動的映像物自動生成方法。
【発明の詳細な説明】
【技術分野】
【０００１】
本発明は、動的映像物自動生成装置及び方法に関するもので、より詳しくは、コンテンツを映像単位グループで構成された動的な映像物で生成することができる動的映像物自動生成装置及び方法に関するものである。
【背景技術】
【０００２】
一般に、ユーザが写真などのコンテンツを鑑賞するためには、多数のコンテンツを所定時間間隔で表示するスライドショー方式が主に使用されている。
【０００３】
このようなスライドショー方式は、単に所定コンテンツを表示してから所定時間が経過すると、次のコンテンツを表示する方式である。この場合、スライドショー方式は、所定時間の間コンテンツが停止してコンテンツを静的に表現するため、個人の思い出や嗜好度に応じてコンテンツを構成することができず、最近、ユーザが自分のコンテンツを映像化して動的に表現しようとする欲求を満たすには力不足であった。
【０００４】
また、一度に１つのコンテンツだけを表示するため、ユーザが現在見ているコンテンツと、既に見たコンテンツやこれから見るコンテンツとの間の連関性が直観的に分かりにくく、さらに静的な表現であるため、多様な表現が難しいという問題点がある。言い換えれば、所定コンテンツを所定時間の間に静的に表現するため、多数のコンテンツが所定の連関性、例えば同じ場所で撮影した写真などの場合でも各コンテンツ間の連関性を直観的に把握しにくいという問題点がある。
【０００５】
したがって、最近にはスライドショー方式自体の単調さから脱却するために、コンテンツと共にステッカ及び字幕などの付加的な効果を追加したり、コンテンツ鑑賞の際、パン（Ｐａｎ）及びチルト（Ｔｉｌｔ）などの多様な鑑賞効果を付加しているが、既存の単調さから脱却できず個人のコンテンツ形態が常に同じ形態で構成されて専門性や斬新性を満たすには力不足であった。
【０００６】
特許文献１では、複数形態の情報が記録されたシーケンストラック同期化情報を有する複数のシーケンストラックと、同期化情報記録手段とを１つのマルチメディアファイルを構成するように同じファイルに統合することによって、各シーケンストラックに含まれた情報の同期化を精巧に制御することができる、音楽と画像トラックを同期化するマルチメディアシステムを開示しているが、これは時間基準による単純同期であって、音楽によるコンテンツの同期化及び音楽の長さなどと共にコンテンツ数の切り替えなどにかかる時間などを改めて測定しなければならないという煩わしさがあった。
【特許文献１】韓国特許公開第２００１−１１０１７８号公報
【発明の開示】
【発明が解決しようとする課題】
【０００７】
本発明は、コンテンツに多様な表現方式を提供することができるテンプレートにより、多数のコンテンツ間の関係に従って映像単位グループを構成して、動的な映像物でコンテンツを提供することができる動的映像物自動生成装置及び方法を提供することにその目的がある。
【０００８】
本発明の目的は、以上で言及した目的に制限されず、言及していないさらなる目的は下記によって当業者に明確に理解できる。
【課題を解決するための手段】
【０００９】
前記目的を達成するために、本発明の実施形態による動的映像物自動生成装置は、コンテンツを含む所定のコンテンツグループに対応する映像単位グループのテンプレートを選択するテンプレート選択モジュール、前記選択されたテンプレートに前記コンテンツを配置するコンテンツ配置モジュール、及び前記コンテンツが配置された動的映像物を提供する動的映像物提供モジュールを含む。
【００１０】
また、前記目的を達成するために、本発明の実施形態による動的映像物自動生成方法は、コンテンツを含む所定のコンテンツグループに対応する映像単位グループのテンプレートを選択する段階、前記選択されたテンプレートに前記コンテンツを配置する段階、及び前記コンテンツが配置された動的映像物を提供する段階を含む。
【発明の効果】
【００１１】
本発明の動的映像物自動生成装置及び方法によれば、静的なコンテンツを自動的にテンプレートを基盤として動的な映像物で生成することができ、動的なコンテンツである場合も多様な効果を与えることができるため、ユーザに専門性と斬新性を提供することができ、各コンテンツに関する連関性を直観的に容易に判断することができる。
【発明を実施するための最良の形態】
【００１２】
その他、実施形態の具体的な事項は詳細な説明及び図面に含まれている。
【００１３】
本発明の利点及び特徴、そしてそれらを達成する方法は、添付する図面と共に詳細に後述する実施形態を参照すれば明確になる。しかし、本発明は以下にて開示される実施形態に限定されず、相異なる多様な形態で具現でき、単に本実施形態は本発明の開示を完全なものにし、本発明の属する技術分野における通常の知識を有する者に発明の範疇を完全に知らせるために提供するものであり、本発明は請求項の範疇によってのみ定義される。明細書の全体にわたり、同じ参照符号は同じ構成要素を示す。
【００１４】
以下、本発明の実施形態により、動的映像物自動生成装置及び方法を説明するためのブロック図または処理フローチャートに対する図面を参考して本発明について説明する。この場合、処理フローチャートの各ブロックとフローチャートの組合せは、コンピュータプログラムインストラクションによって行われることが理解できる。これらコンピュータプログラムインストラクションは、汎用コンピュータ、特殊用コンピュータまたはその他プログラム可能なデータプロセシング装備のプロセッサに搭載できるので、コンピュータまたはその他プログラム可能なデータプロセシング装備のプロセッサによって行われるインストラクションはフローチャートブロックで説明する機能を行う手段を生成するようになる。これらコンピュータプログラムインストラクションは、特定方式で機能を具現するために、コンピュータまたはその他プログラム可能なデータプロセシング装備に備えられるコンピュータによって利用可能またはコンピュータによって読取可能なメモリに格納できるので、そのコンピュータによって利用可能またはコンピュータによって読取可能なメモリに格納されたインストラクションは、フローチャートブロックで説明する機能を行うインストラクション手段を含む製造品目を生産するのに用いることも可能である。コンピュータプログラムインストラクションは、コンピュータまたはその他プログラム可能なデータプロセシング装備上に搭載できるので、コンピュータまたはその他プログラム可能なデータプロセシング装備上で一連の動作段階が行われ、コンピュータで実行されるプロセスを生成してコンピュータまたはその他プログラム可能なデータプロセシング装備の機能を行うインストラクションは、フローチャートブロックで説明する各段階の機能を実行することも可能である。
【００１５】
また、各ブロックは、特定された論理的機能を実行するための１つ以上の実行可能なインストラクションを含むモジュール、セグメントまたはコードの一部を表すことができる。また、複数の代替実行例においては、ブロックで言及した機能が順序から外れて発生しうることに注目しなければならない。例えば、連なって示されている２つのブロックは、実質的に同時に行うことも可能であり、またはそのブロックが時々該当する機能によって逆順に行うことも可能である。
【００１６】
図１は、本発明の第１実施形態による動的映像物自動生成装置が示された図面である。
【００１７】
図示のように、本発明の第１実施形態による動的映像物自動生成装置１００は、テンプレート格納モジュール１１０、テンプレート選択モジュール１２０、コンテンツ配置モジュール１３０、動的映像物提供モジュール１４０、テンプレート変換モジュール１５０、及びコンテンツ変換モジュール１６０を含むことができる。
【００１８】
以下、本発明の実施形態で使用する用語のうち「テンプレート」は、写真及び動画などのコンテンツを配置するための型として理解でき、動的映像物の構成単位である映像単位グループに対するテンプレートを意味する。具体的に、テンプレートは図２に示すように、背景画面２１０、コンテンツが配置されるレイアウト２２０、背景画面２１０を飾るためのステッカ２３０、及び字幕２４０などを含むことができるが、これに限定されず、コンテンツが表示される間に音響効果を与えるための背景音楽、コンテンツが表示されることを知らせるイントロ、コンテンツの表示が完了したことを知らせるエンディング、コンテンツとコンテンツに関する効果が現れたり、消えたりするトランジション、時間によってコンテンツの位置と大きさなどを多様な速度で変化させるアニメーション、コンテンツを動かせずにカメラが動いているような効果であるカメラワーク、コンテンツに対する時間情報であるタイミング、ユーザが各種制御をすることができるコントロール、及びユーザが多数のコンテンツグループまたは各コンテンツに対するコメントを反映するフィードバックなど、コンテンツを飾ったり、コンテンツに所定の付加的な効果を与えることができる多様な要素を含むことができる。また、それぞれの要素に対し多数の候補を構成して、テンプレート選択の際に各構成要素を選択することもできる。また、本発明の実施形態で使用するテンプレート及びテンプレートに含まれる多数の要素に関する用語は、本発明を理解するための一例に過ぎないものであって、用途及び必要に応じて使用される用語は変更できる。
【００１９】
テンプレート格納モジュール１１０は、前述したような多数の要素を含む多数のテンプレートを格納することができる。本発明の実施形態においてテンプレート格納モジュール１１０に格納されるテンプレートは、マークアップ言語が使用された場合を例えて説明しており、このようなマークアップ言語としてはＨＴＭＬ及びＸＭＬなどが使用できるが、これに限定されない。また、本発明の実施形態による動的映像物も前述したテンプレートのようにマークアップ言語の形態で構成することができる。
【００２０】
テンプレート選択モジュール１２０は、少なくとも１つ以上のコンテンツを含む所定のコンテンツグループに対応するテンプレートをテンプレート格納モジュール１１０から選択することができる。このとき、コンテンツグループは、コンテンツ間の連関性、コンテンツを表現する効果の性質及びユーザの嗜好度に応じて区分することができる。
【００２１】
例えば、同じ場所で撮影した写真の場合、それぞれ異なる場所で撮影した写真に比べて高い連関性を有し、同じ時間帯に撮影した写真の場合、それぞれ異なる時間帯に撮影した写真に比べて高い連関性を有する。また、前述したテンプレートに含まれた多数の要素のうち同じ要素、例えば同じ背景音楽や同じレイアウトなどを使用するコンテンツが高い連関性を有する。したがって、コンテンツグループは、前述したように相対的に高い連関性を有するコンテンツのグループとして理解できる。
【００２２】
テンプレート選択モジュール１２０は、所定のコンテンツグループに含まれるコンテンツの数、コンテンツ間に関連する主題、コンテンツのカラー、コンテンツを獲得した時間、コンテンツを獲得した場所、テンプレートの使用回数、及びユーザの嗜好度などを含む多数の選択条件のうち少なくとも１つの選択条件に応じて該当するテンプレートを選択することができる。このとき、テンプレート選択モジュール１２０は、それぞれの選択条件を数値化した計算値を得ることができ、多数の選択条件に対して、ユーザによってそれぞれ異なって与えられた加重値と得られた計算値により求められるスコアによってテンプレートを選択することができる。このとき、スコアは（式１）により求められる。
【００２３】
Ｓ＝Σ（Ｗ（ｉ）＊Ｓ（ｉ））                            （式１）
（式１）中、Ｓ（ｉ）はそれぞれの選択条件を数値化して得た計算値を意味し、Ｗ（ｉ）はそれぞれの選択条件に与えられた加重値を意味し、Ｓはそれぞれの選択条件を数値化して得た計算値と加重値を乗じた総合であって、テンプレート選択モジュール１２０は、計算値と加重値を乗じた総合が最も大きいテンプレートを選択することができる。また、テンプレートの各要素に対して多数の候補が存在し、ユーザ嗜好度及びコンテンツとの適合度などに応じて自動的に選択して使用することができる。
【００２４】
コンテンツ配置モジュール１３０は、テンプレート選択モジュール１２０によって選択されたテンプレートに該当するコンテンツグループのコンテンツを配置するようになる。このとき、テンプレート変換モジュール１５０は、選択されたテンプレートが該当コンテンツグループに適合する場合は別途の変換を行わない反面、選択されたテンプレートの要素のうち該当コンテンツグループに不適合要素がある場合はテンプレートを変換する過程を行うようになる。
【００２５】
例えば、選択されたテンプレートに配置できるコンテンツの数が３つであり、コンテンツグループに含まれたコンテンツの数が４つであれば、テンプレート変換モジュール１５０は選択されたテンプレートのレイアウトを変換し、各コンテンツが配置できるレイアウトの大きさを縮小して４つのコンテンツが全て配置できるように、選択されたテンプレートのレイアウトを変換することができる。また、テンプレート変換モジュール１５０は、選択されたテンプレートに配置できるコンテンツの数を変換することによってステッカ及び字幕などの位置も共に変換し、さらにテンプレート変換モジュール１５０は、テンプレートに含まれる多数の要素も適切に変換することができる。
【００２６】
ここで、テンプレート変換モジュール１５０がコンテンツ間の対称性を維持しながら単調感をなくすために、一直線上の配置を避ける場合を例えて説明する。コンテンツが配置されるレイアウトは、（式２）及び（式３）により求められる。しかし、本発明の実施形態において使用する（式２）及び（式３）は本発明を理解するための一例であって、コンテンツが配置できる多様な状況に応じて（式２）及び（式３）と同式を使用するものではなく、ユーザの嗜好によってユーザが選好する配置などに応じる式は前述した（式２）及び（式３）と異なる式を使用することができる。
【００２７】
Ｈｃｉ＝α（Ｈｓ／（ｎ＋β））                          （式２）
（式２）中、Ｈｃｉはｉ番目コンテンツの高さ、Ｈｓは全体画面の高さ、ｎは現在コンテンツグループのコンテンツ数を意味する。
【００２８】
また、コンテンツが写真である場合、コンテンツの幅は前述した（式２）により求められるコンテンツの高さに対して、縦横比率により求められる。
【００２９】
Ｌｃｉ＝Ｗｓ（ｉ／（ｎ＋ε））−Ｗｃｉ／２、Ｔｃｉ＝Ｈｓ（（ｉ＋ρ）／（ｎ＋σ））−Ｈｃｉ／２                         （式３）
（式３）中、Ｌｃｉはｉ番目コンテンツのｘ座標、Ｗｓは全体画面の幅、Ｗｃｉはｉ番目コンテンツの幅、Ｔｃｉはｉ番目コンテンツのｙ座標、Ｈｓは全体画面の高さ、Ｈｃｉは前述した（式２）により求められるｉ番目コンテンツの高さ、ｎは現在コンテンツグループのコンテンツ数を意味する。
【００３０】
また、（式２）及び（式３）中、α、β、ε、ρ及びσなどの定数を決定する主要素としては、コンテンツ重心間の間隔、コンテンツのオーバーラップ比率、対称的配置度、非線形的配置度などを含むことができる。また、非線形的配置のために各コンテンツの配置角度を指定することができる。
【００３１】
コンテンツ配置モジュール１３０が、テンプレート選択モジュール１２０によって選択されたテンプレートまたはテンプレート変換モジュール１５０によって変換されたテンプレートに、コンテンツグループに含まれたコンテンツを配置すれば、コンテンツ変換モジュール１６０は、コンテンツが配置されたテンプレートの雰囲気、カラー属性及び時間的背景などの文脈情報によってコンテンツのカラー属性、イメージ変換及び上映領域／区間などの属性を変換させてテンプレートとコンテンツがより一層調和できるようにする。動的映像物提供モジュール１４０は、前述したコンテンツ配置モジュール１３０によってコンテンツが配置された映像単位グループ及び構成要素を背景音楽などに時間を同期化して提供することができる。このとき、それぞれの映像単位グループ及び構成要素を背景音楽などに同期化して、所定時間間隔で切り替えられたり、アニメーションが適用されるため、ユーザは静的なコンテンツを動的な映像物として感じることができる。
【００３２】
図３は、本発明の第２実施形態による動的映像物自動生成装置が示された図面である。
【００３３】
図示のように、本発明の第２実施形態による動的映像物自動生成装置１００は、前述した図１の動的映像物自動生成装置において、コンテンツが配置された動的映像物を格納する格納モジュール１７０及びコンテンツが配置された動的映像物を表示するディスプレイモジュール１８０をさらに含むことができる。このとき、格納モジュール１７０は、テンプレート格納モジュール１１０と類似する形態のマークアップ言語形態で動的映像物を格納することができる。したがって、動的映像物提供モジュール１４０は、格納モジュール１７０に格納された動的映像物によって繰り返しコンテンツを提供することができ、ディスプレイモジュール１８０によってユーザ要請に応じて格納モジュール１７０に格納された動的映像物を表示することができる。また、ディスプレイモジュール１８０は、コンテンツが配置されたテンプレートを背景音楽などに同期化して表示することができるため、ユーザは表示されるテンプレートを動的な映像物のように鑑賞することができる。
【００３４】
図４は、本発明の実施形態による動的映像物自動生成方法が示された図面である。
【００３５】
図示のように、本発明の実施形態による動的映像物自動生成方法は、まずテンプレート選択モジュール１２０は所定のコンテンツグループに対応するテンプレートをテンプレート格納モジュール１１０から選択する（Ｓ１００）。このとき、テンプレート選択モジュール１２０は、所定のコンテンツグループが区分された条件、例えばコンテンツ間の連関性、コンテンツを表現するための効果及びユーザ嗜好度などに応じて適合するテンプレートをテンプレート格納モジュール１１０から選択するようになる。
【００３６】
コンテンツ配置モジュール１３０は、選択されたテンプレートが該当するコンテンツグループに適合するか否かを判断する（Ｓ２００）。例えば、選択されたテンプレートに配置できるコンテンツの数が３つである場合、コンテンツグループに含まれたコンテンツの数が４つであれば、選択されたテンプレートが不適合であると判断できる。
【００３７】
判断結果、選択されたテンプレートが適合する場合、コンテンツ配置モジュール１３０は選択されたテンプレートに該当するコンテンツグループのコンテンツを配置するようになる（Ｓ３００）。
【００３８】
また、判断結果、選択されたテンプレートが該当するコンテンツグループに不適合要素がある場合、テンプレート変換モジュール１５０は選択されたテンプレートを変換するようになる（Ｓ４００）。
【００３９】
例えば、図５に示すように、選択されたテンプレート３１０のレイアウト３１１が配置されるコンテンツ３２０に不適合である場合、テンプレート変換モジュール１５０は図５のレイアウト３１１、ステッカ３１２及び字幕３１３などを図６に示すように、テンプレート３１０でコンテンツ３２０が配置されるレイアウト３１１を変換し、レイアウト３１１の変換に従ってステッカ３１２及び字幕３１３などを前述した図５に対しその位置を変換して、コンテンツ３２０の配置に適合するテンプレートに変換することができる。
【００４０】
本発明の実施形態では、テンプレート変換モジュール１５０がレイアウト、ステッカ及び字幕などを変換する場合を例えて説明しているが、これに限定されない。言い換えれば、前述した図６においてレイアウト３１１の変換に従って、字幕３１２が消える効果であるトランジションやテンプレートの各要素の位置と大きさを多様な速度で変化させるアニメーションやテンプレートは変化せずにカメラが動く効果であるカメラワークなどテンプレートが変化されると共に前述した多様なテンプレートに含まれた要素も変換できる。
【００４１】
以後、コンテンツ配置モジュール１３０は変換されたテンプレートにコンテンツグループに含まれたコンテンツを配置するようになる（Ｓ５００）。
【００４２】
一方、コンテンツ配置モジュール１３０は、テンプレート選択モジュール１２０により選択されたテンプレートやテンプレート変換モジュール１５０により変換されたテンプレートに配置されたコンテンツを変換するか否かを判断するようになる（Ｓ６００）。具体的に、テンプレートの雰囲気、カラー属性及び時間的背景などの文脈情報によってコンテンツのカラー属性、イメージ変換及び上映領域／区間などの属性を変換することができる。例えば、コンテンツを強調するためにテンプレートと補色関係になるようにするか、または背景画面によって落ち着いたカラーに変換するか、または人為的に白黒写真に変換するか、または照明効果を追加するなどの変換をすることができる。
【００４３】
コンテンツを変換する場合、コンテンツ変換モジュール１６０は前述したように、テンプレートに配置されたコンテンツに別の効果を追加するようになる（Ｓ７００）。
【００４４】
前記「モジュール」は、ソフトウェアまたはＦｉｅｌｄ  Ｐｒｏｇｒａｍｍａｂｌｅ  Ｇａｔｅ  Ａｒｒａｙ（ＦＰＧＡ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）のようなハードウェア構成要素を意味し、モジュールはある役割を行う。しかし、モジュールはソフトウェアまたはハードウェアに限定される意味ではない。モジュールはアドレシングできる格納媒体にあるように構成することができ、１つまたはそれ以上のプロセッサを実行させるように構成することもできる。したがって、一例としてモジュールは、ソフトウェア構成要素、オブジェクト指向ソフトウェア構成要素、クラス構成要素及びタスク構成要素などのような構成要素と、プロセス、関数、属性、プロシージャ、サブルーチン、プログラムコードのセグメント、ドライバ、ファームウェア、マイクロコード、回路、データ、データベース、データ構造、テーブル、アレイ、及び変数を含む。構成要素とモジュールにより提供される機能は、さらに小さい数の構成要素及びモジュールで結合されたり、追加的な構成要素とモジュールにさらに分離できる。
【００４５】
以上のように、本発明による動的映像物自動生成装置及び方法を例示した図面を参照して説明したが、本発明は本明細書に開示する実施形態と図面に限定されず、その発明の技術思想の範囲内で当業者により多様な変形が可能である。
【図面の簡単な説明】
【００４６】
【図１】本発明の第１実施形態による動的映像物自動生成装置が示された図である。
【図２】本発明の実施形態によるテンプレートが示された図である。
【図３】本発明の第２実施形態による動的映像物自動生成装置が示された図である。
【図４】本発明の実施形態による動的映像物を自動的に生成する方法が示された図である。
【図５】本発明の実施形態によるコンテンツに不適合要素があるテンプレートが示された図である。
【図６】図５のテンプレートがコンテンツによって適合に変換されたテンプレートが示された図である。
【符号の説明】
【００４７】
１１０      テンプレート格納モジュール
１２０      テンプレート選択モジュール
１３０      コンテンツ配置モジュール
１４０      動的映像物提供モジュール
１５０      テンプレート変換モジュール
１６０      コンテンツ変換モジュール
【図１】
2007129717.tif 000003
【図２】
2007129717.tif 000004
【図３】
2007129717.tif 000005
【図４】
2007129717.tif 000006
【図５】
2007129717.tif 000007
【図６】
2007129717.tif 000008